(57)【要約】 【課題】出隅部や入隅部に軒樋を取り付けるにあたり、継手の剛性を高めて軒樋の捩れや変形を防止し、軒樋を見栄えよく接続し、しかも軒樋の形状にかかわりなく接続作業が簡単且つ確実に行え、施工作業時間を短縮できるようにする。【解決手段】本体部１Ａの両端に継手部１Ｂが延出し、この継手部１Ｂの前壁部１２ｂと後壁部１２ｃ間に支持プレート１３を架設して形成された継手本体１と、後壁部１２ｃの上部に装着される係止部材２とから曲がり継手を構成する。継手部１Ｂの前壁部１２ｂ上端に形成された前耳係止部２４に軒樋３の前耳部３４を係合させて継手部１Ｂに軒樋３の端部を外嵌合させて、軒樋３の後側壁３３の下半部内面に継手部１Ｂの後壁部１２ｃ外面を当接させ、この後壁部１２ｃの上部に装着した係止部材２の上端部２１が軒樋３の後耳部３５に係合して軒樋３を接続する。【選択図】図２
2009221773.tif 000002
【特許請求の範囲】
【請求項１】
縦断面略Ｕ字状の本体部（１Ａ）の両端から継手部（１Ｂ）を延出させるとともに当該継手部（１Ｂ）の前壁部（１２ｂ）と後壁部（１２ｃ）の内面間に支持プレート（１３）を架設して形成された平面視略Ｌ字状の継手本体（１）と、前記継手部（１Ｂ）の後壁部（１２ｃ）の上部に装着される係止部材（２）からなり、
前記継手部（１Ｂ）の前壁部（１２ｂ）上端に形成された前耳係止部（２４）に軒樋（３）の前耳部（３４）が係合して継手部（１Ｂ）に軒樋（３）の端部が外嵌合するとともに、軒樋（３）の後側壁（３３）の下半部内面に継手部（１Ｂ）の後壁部（１２ｃ）外面が当接し、この後壁部（１２ｃ）の上部に装着した係止部材（２）の上端部（２１）が軒樋（３）の後耳部（３５）に係合して接続することを特徴とする曲がり継手。
【請求項２】
継手部（１Ｂ）に軒樋（３）の端部を外嵌合した際に、本体部（１Ａ）の外周面と軒樋（３）の外周面とがほぼ面一となるように、継手部（１Ｂ）の底壁部（１２ａ）と前壁部（１２ｂ）と後壁部（１２ｃ）の各壁部が軒樋（３）の周壁の肉厚幅だけ内側に凹んで形成され、係止部材（２）の下端に支持プレート（１３）がスライド自在に係合する凹溝（２２）が形成されるとともに、支持プレート（１３）の後壁部（１２ｃ）側の基部に係止部材（２）が掛止される係止部（１３ａ）が形成されていることを特徴とする請求項１に記載の曲がり継手。
【請求項３】
縦断面略Ｕ字状の本体部（１Ａ）の両端から継手部（１Ｂ）を延出させるとともに当該継手部（１Ｂ）の前壁部（１２ｂ）と後壁部（１２ｃ）の内面間に支持プレート（１３）を架設して形成された平面視略Ｌ字状の継手本体（１）と、前記継手部（１Ｂ）の後壁部（１２ｃ）の上部に装着される係止部材（２）からなる曲がり継手を準備し、
軒先に沿って所定間隔開けて固定した樋吊り具（４）で本体部（１Ａ）を支持して前記継手本体（１）を軒先隅部に取り付けた後、継手部（１Ｂ）に軒樋（３）を接続するにあたり、
軒先に沿って配置した軒樋（３）の前耳部（３４）を継手部（１Ｂ）の前耳係止部（２４）に係止させ、この前耳係止部（２４）側を回転中心として軒樋（３）の他端部側を軒先後方側へ跳ね上げつつ後側壁（３３）を継手部（１Ｂ）の後壁部（１２ｃ）に外嵌合させ、
次いで後壁部（１２ｃ）の上部に係止部材（２）を装着し、係止部材（２）の上端部（２１）を軒樋（３）の後耳部（３５）に係合させることにより曲がり継手に軒樋を接続することを特徴とする曲がり継手の接続方法。
【発明の詳細な説明】
【技術分野】
【０００１】
本発明は、建物の出隅部や入隅部に取り付けられる曲がり継手とその接続方法に関する。
【背景技術】
【０００２】
軒樋の端部同士を接続する軒樋継手として、軒樋の両端部間に跨るようにして内継手を内嵌合させるとともに、その外側に外継手を外嵌合させて内外両継手で軒樋の内外面を挟み込んで接着接合する構成のものが知られている。
例えば、開口部上面の幅が狭い軒樋を接続する場合には、軒樋の内側に内継手を嵌め入れ難いことから、図６に示すように内継手９１を、軒樋９３の底面部９３ａ内面に接合する下継手部材９１Ａと軒樋９３の前側壁９３ｂ内面に接合する上継手部材９１Ｂとに分離した構造とし、軒樋９３、９３の端部間に跨るようにして外継手９２を外嵌合させてから、その突き合わせ端部の内側に下継手部材９１Ａを傾き加減に差し入れて装着してから上継手部材９１Ｂを嵌め入れ、外継手９２に設けた係止突部９２ａ、９２ｂを内継手９１の支持部９１ａ、９１ｂに係合させて両部材を一体に接続するとともに、軒樋９３との接合面を接着接合する構成のものが知られている（例えば、特許文献１参照）。
【０００３】
また、屋根の出隅部において軒樋同士を接続する曲がり継手として、図７に示すように、本体部９４Ａの両端に継手部９４Ｂを延設した構成のものが知られている。この曲がり継手９４は、両端に軒樋９３の端部を外嵌合させた際に、本体部９４Ａの外周面と軒樋９３の外周面とがほぼ面一となるように、段差部を介して軒樋９３の周壁の肉厚幅だけ内側へ凹ませて継手部９４Ｂを形成したものである（例えば、特許文献２参照）。
【０００４】
さらには、軒先に沿って取り付けられる軒樋と曲がり継手の施工方法として、図８に示すように、軒樋９３と同じ縦断面形状をした平面視略Ｌ字状の外曲がり継手９５Ａと内曲がり継手９５Ｂをそれぞれ建物の出隅部と入隅部に取り付けた後、隣接する曲がり継手９５Ａ、９５Ｂの対向する端部間に軒樋９３を配置し、それぞれの突き合わせ端部の内側に跨って別途準備した内継手９６を嵌め入れて接続する施工方法が知られている（例えば、特許文献３参照）。
【０００５】
【特許文献１】特開２００２−１０６１２２号公報
【特許文献２】特開２００５−１４６７４３号公報
【特許文献３】特開２００３−２４７３０９号公報
【発明の開示】
【発明が解決しようとする課題】
【０００６】
前記の通り内継手と外継手を用いて軒樋の内外面を挟み込んで接着接合する場合は、軒樋の両端部間に跨がって装着した内外両継手を軒樋の内外両面にぴったりと密着させて一体に接着接合する必要がある。このとき、内外両継手の接合面に接着剤を塗布してから外継手を軒樋の外周面に外嵌合し、内継手を軒樋の開口部上面から傾き加減に差し入れつつ軒樋の内周面に押し付けて固定する作業が不可欠となる。しかしながら、この接続作業は足場の不安定な高所作業となるため、必然的に手探りによる接続作業を余儀なくされ、継手の構造や接続手順が複雑になると施工作業に時間がかかるだけでなく、不慣れな作業者の場合には継手の位置をずらしたまま接着してしまう事態も生じかねない。
【０００７】
屋根の出隅部において軒樋同士を接続する前記曲がり継手の場合には、軒樋と同じ縦断面形状をした継手部に軒樋の端部を外挿して接着接合するだけであるため、曲げや捩れに対する強度（剛性）が弱く、強風を受けたときに曲がり継手が破損したり、軒樋が捩れて接合部が変形して離脱したりする危険性がある。しかも、この曲がり継手による軒樋の接続作業は、軒樋を一旦軸方向に後退させてから前進させてその端部を曲がり継手の継手部に外挿する差込み方式となる。外曲がり継手と内曲がり継手を軒先の出隅部と入隅部に取り付けて固定した後、隣接する曲がり継手の対向する端部間に軒樋を接続しなければならない施工現場では、軒樋を軸方向に後退させるゆとりがなく、物理的にこの曲がり継手は使用できない。
【０００８】
軒先に取り付けられた軒樋と曲がり継手を内継手で接続する前記従来の施工方法は、軒樋と曲がり継手の突き合わせ端部間に跨って別途準備した内継手を装着するだけで接続できるため、接続作業が簡単に行えるという利点がある。ところが、軒先に固定されている曲がり継手に軒樋の端部を突き合わせて接続するときに、両端部が位置ずれして段差ができた状態で固定され易いため、作業者は片方の手で両端部を位置合わせしつつ他方の手で内継手を両端部間に跨るように装着せねばならない。しかしながら、足場の不安定な高所で、このような、接続位置を確認しながら外周面に接着剤が塗布された内継手を突き合わせ端部の内側に嵌め入れ、且つ内継手の前後の耳係止部を軒樋と曲がり継手の前後耳部に係合させる、という接続作業は非常に厄介である。
【０００９】
本発明は従来技術の有するこのような問題点に鑑み、出隅部や入隅部に軒樋を取り付けるにあたり、継手の剛性を高めて軒樋の捩れや変形を防止できるとともに、軒樋を見栄えよく接続でき、しかも軒樋の形状にかかわりなく接続作業が簡単且つ確実に行え、施工現場での作業時間を大幅に短縮できるようにすることを課題とする。
【課題を解決するための手段】
【００１０】
前記課題を解決するため本発明の曲がり継手は、縦断面略Ｕ字状の本体部の両端から継手部を延出させるとともに当該継手部の前壁部と後壁部の内面間に支持プレートを架設して形成された平面視略Ｌ字状の継手本体と、前記継手部の後壁部の上部に装着される係止部材からなり、前記継手部の前壁部上端に形成された前耳係止部に軒樋の前耳部が係合して継手部に軒樋の端部が外嵌合するとともに、軒樋の後側壁の下半部内面に継手部の後壁部外面が当接し、この後壁部の上部に装着した係止部材の上端部が軒樋の後耳部に係合して接続することを特徴とする。
【００１１】
また、前記構成の曲がり継手において、継手部に軒樋の端部を外嵌合した際に、本体部の外周面と軒樋の外周面とがほぼ面一となるように、継手部の底壁部と前壁部と後壁部の各壁部が軒樋の周壁の肉厚幅だけ内側に凹んで形成され、係止部材の下端に支持プレートがスライド自在に係合する凹溝が形成されるとともに、支持プレートの後壁部側の基部に係止部材が掛止される係止部が形成されていることを特徴とする。
【００１２】
本発明の曲がり継手の接続方法は、縦断面略Ｕ字状の本体部の両端から継手部を延出させるとともに当該継手部の前壁部と後壁部の内面間に支持プレートを架設して形成された平面視略Ｌ字状の継手本体と、前記継手部の後壁部の上部に装着される係止部材からなる曲がり継手を準備し、軒先に沿って所定間隔開けて固定した樋吊り具で本体部を支持して前記継手本体を軒先隅部に取り付けた後、継手部に軒樋を接続するにあたり、軒先に沿って配置した軒樋の前耳部を継手部の前耳係止部に係止させ、この前耳係止部側を回転中心として軒樋の他端部側を軒先後方側へ跳ね上げつつ後側壁を継手部の後壁部に外嵌合させ、次いで後壁部の上部に係止部材を装着し、係止部材の上端部を軒樋の後耳部に係合させることにより曲がり継手に軒樋を接続することを特徴とする。
【００１３】
本発明の軒樋曲がり継手は、軒先の出隅部や入隅部に取り付けられるものであって、縦断面略Ｕ字状の本体部の両端から延出して底壁部と前壁部と後壁部からなる継手部が形成されるとともに、前壁部と後壁部に跨って支持プレートが架設された平面視略Ｌ字状の継手本体と、後壁部の上部に装着される係止部材から構成される。本体部に継手部を一体に設けて継手本体が形成されており、この継手本体に軒樋端部を接続した状態で係止部材を係合することにより軒樋が接続し、軒樋の端部内周面との接続作業が極めて容易となる。また、継手部の前壁部と後壁部に跨って支持プレートが架設してあるので、継手部の剛性が格段に高くなり、この継手部に外嵌合した軒樋に曲げや捩れなどの外力が加わったり強風を受けたりしても、軒樋が捩れて変形したり脱落したりすることもない。
【００１４】
継手本体を構成する本体部と継手部は、硬質塩ビ樹脂、アクリル樹脂、ポリカーボネート樹脂などの硬質樹脂組成物で一体成形することができる。軒樋を塩ビ被覆鋼板で折り曲げ成形したときには、これと同じ塩ビ被覆鋼板で本体部を成形し、その両端に前記硬質樹脂組成物で形成した継手部を接着剤やリベットで一体に接合するとよい。このように本体部と軒樋を同じ素材で形成した場合には、経年変化による色あせなども同時に進行することとなり、見栄えが悪くなることもない。
また、継手部を構成する底壁部と前壁部と後壁部の各壁部を軒樋の周壁の肉厚幅だけ内側に凹ませて形成しておくと、継手部に軒樋の端部を外嵌合したとき、本体部の外周面と軒樋の外周面とがほぼ面一となって軒樋と継手が一体に見えることから意匠性が高まり、軒先を下から見上げたときに、継ぎ目部分に凹凸が表出しない外観となって、すっきりとした感じで頗る見栄えがよくなる。
【００１５】
係止部材は硬質塩ビ樹脂、アクリル樹脂、ポリカーボネート樹脂などの樹脂組成物で一体成形することができる。この係止部材の下端に支持プレートがスライド自在に係合する凹溝を形成し、支持プレートの後壁部側の基部に係止部材が掛止される係止部を形成するとよい。このように構成することで、継手部に軒樋の端部を外嵌合したとき、係止部材の下端に形成された凹溝に支持プレートを係合させて後方にスライド移動させるだけで係止部に掛止することができ、軒樋の端部に継手部を強固に固定しておくことができる。
【００１６】
前記構成からなる曲がり継手に軒樋を接続するとき、継手部や係止部材の接合面又は軒樋の接合面に接着剤が塗布されるが、軒先の隅部に固定した樋吊り具で継手本体を支持し、継手部の前耳係止部に軒樋の前耳部を係止させつつ軒樋を軒先後方側に跳ね上げて外嵌合させた後、後壁部の上部に係止部材を装着するだけで接続することができるので、接続作業は特に熟練を必要とせずに、足場の悪い高所でも簡単に行うことができる。
【発明の効果】
【００１７】
本発明の曲がり継手は、継手部の前壁部と後壁部に跨って支持プレートが架設されているため継手部の剛性が格段に改善され、この継手部に外嵌合した軒樋に曲げや捩れなどの外力が加わったり強風を受けたりしたときに、軒樋が捩れて変形したり継手部で脱落したりするようなこともない。また、本発明の曲がり継手は、継手部品が継手部と係止部材の二つの部品からなり、継手部は本体部と一体になって軒先に取り付けられるため接続操作が簡単に行え、足場の悪い高所でも熟練を要することもなく、簡単且つ確実に軒樋を接続することができる。
【発明を実施するための最良の形態】
【００１８】
本発明の好適な一実施形態を図面を参照して説明する。
図１は本発明の一実施形態の曲がり継手と軒樋の接続状態を示す概略平面図、図２は曲がり継手と軒樋の展開斜視図、図３は図２に示した曲がり継手に軒樋を接続する状態を示す側面図、図４は図３に示した曲がり継手に軒樋を接続した状態を示す要部拡大側面図、図５は樋吊り具に軒樋を支持した状態を示す側面図であって、図中符号１は継手本体、２は係止部材、３は軒樋、４は樋吊り具をそれぞれ示している。
【００１９】
図１に示すように、本発明の曲がり継手は、軒先の出隅部や入隅部に取り付けられるものであり、隣接する曲がり継手の端部間に軒樋３が架け渡されて接続される。
軒樋３は硬質塩ビ樹脂などの耐蝕性を備えた樹脂で被覆された長尺の被覆鋼板をベンダーなどで曲げ加工したものであって、底壁３１と前側壁３２と後側壁３３によって縦断面略Ｕ字状に形成され、前側壁３２の上端に内側下方へ折り曲げられた前耳部３４が形成されるとともに、後側壁３３の上端に内側に開口した略断面コ字状の後耳部３５が形成されている。
【００２０】
曲がり継手は、縦断面略Ｕ字状の本体部１Ａの両端に継手部１Ｂが延出した平面視略Ｌ字状の継手本体１と、係止部材２から構成される。なお、図２に示した曲がり継手は出隅部に取り付けられる外曲がり継手であるが、継手本体１のＬ字の曲がり方向を変更することにより、入隅部に取り付けられる内曲がり継手とすることができる。
【００２１】
本体部１Ａは軒樋３と同様に被覆鋼板をベンダーなどで曲げ加工して形成したものであって、底壁部１１ａと前壁部１１ｂと後壁部１１ｃによって縦断面略Ｕ字状に形成され、前壁部１１ｂと後壁部１１ｃの上端に軒樋３とほぼ同形状に折り曲げられた前耳部１４と後耳部１５が形成されている。そして、各壁部１１ａ、１１ｂ、１１ｃの端部内面に後述する継手部１Ｂが端部側方へ延出させた状態で接着接合され、且つリベットで一体的に固定されている。
【００２２】
このように本体部１Ａと軒樋３を同じ素材で形成すると、経年変化による色あせなどが同時に進行するため、施工後見栄えが悪くなるという不具合が発生することもなくなる。また、本体部１Ａと軒樋３が同じ素材であると、本体部１Ａの各壁部１１ａ、１１ｂ、１１ｃの端部内面に継手部１Ｂを一体に接着接合したとき、継手部１Ｂを構成する底壁部１１ａと前壁部１１ｂと後壁部１１ｃの各壁部の外周面が軒樋３の周壁の肉厚幅だけ内側に凹むため、継手部１Ｂに軒樋３の端部を外嵌合したとき、本体部１Ａの外周面と軒樋３の外周面とがほぼ面一となって本体部１Ａと軒樋３とが一体に見えることから意匠性が高まり、軒先を下から見上げたときすっきりとした感じで頗る見栄えがよくなる。
【００２３】
継手部１Ｂは硬質塩ビ樹脂、アクリル樹脂、ポリカーボネート樹脂などの樹脂組成物を射出成形して得られたものであって、底壁部１２ａと前壁部１２ｂと後壁部１２ｃによって縦断面略Ｕ字状に形成されるとともに、前壁部１２ｂと後壁部１２ｃの内面間に跨って支持プレート１３が架設され、この支持プレート１３の後壁部１２ｃ側の基部には係止部材２が掛止される係止部１３ａが形成されている。前壁部１２ｂの上端には本体部１Ａの前耳部１４や軒樋３の前耳部３４と係合する前耳係止部２４が形成され、後壁部１２ｃは本体部１Ａの後壁部１１ｃや軒樋３の後側壁３３の高さの半分程度の高さとなように形成されており、継手部１Ｂに軒樋３を外嵌合したとき、後壁部１２ｃの上部に係止部材２が装着できるようになっている。
【００２４】
係止部材２は継手部１Ｂと同様に、硬質塩ビ樹脂、アクリル樹脂、ポリカーボネート樹脂などの樹脂組成物を射出成形して得られたものであって、その下端に継手部１Ｂの支持プレート１３がスライド自在に係合する凹溝２２が形成されている。
一方、支持プレート１３の後壁部１２ｃ側の基部には係止部材２が掛止される係止部１３ａが形成されているため、継手部１Ｂに軒樋３の端部を外嵌合した後、係止部材２の下端に形成された凹溝２２を支持プレート１３に係合させつつ後方にスライド移動させて係止部１３ａに掛止するだけで、軒樋３の端部に継手部１Ｂを強固に固定することができる。
【００２５】
次に、前記構成からなる曲がり継手を用いた軒樋の施工手順を説明する。
まず、軒先に沿って軒吊り具４を固定するとともに、隅部に固定した軒吊り具４で継手本体１を支持する。樋吊り具４は釘やビスなどの支持金具で軒先に打ち込み固定される基板部４１と、この基板部４１の前面からほぼ水平に突出する支持部４２からなり、支持部４２の先端部に軒樋３の前耳部３４を支持する前耳支持部４３と、基板部４１側の下部に後耳部３５を支持する後耳支持部４４が設けられている。この軒吊り具４を軒先に固定するとき、水勾配を付けながら軒先に沿って所定間隔に固定することが肝要である。
【００２６】
軒先の隅部に継手本体１を取り付けた後、軒先に沿ってほぼ水平に配置した軒樋３を樋吊り具４の下方から持ち上げ、軒樋端部の前耳部３４を継手部１Ｂの前耳係止部２４に係止させるとともに、軒先に沿って所定間隔に配置されたそれぞれの樋吊り具４の前耳支持部４３に軒樋中間部の前耳部３４を係止させる。この接続作業の際に、予め継手部１Ｂの外周面又は軒樋３の内周面に接着剤を塗布しておき、前記前耳係止部２４や前耳支持部４３を回転中心として軒樋３の他端部側を軒先後方側へ跳ね上げつつ軒樋端部の後側壁３３を継手部１Ｂの後壁部１２ｃに外嵌合させ、これと同時に軒樋中間部の後耳部３５を樋吊り具４の後耳支持部４４に嵌入させる。
【００２７】
このようにして継手本体１の継手部１Ｂに軒樋３の端部を外嵌合したとき、継手部１Ｂの後壁部１２ｃが軒樋３の後側壁３３の内面下半部に密着接合するので、背面に接着剤を塗布した係止部材２を軒樋３の開口部上面から内側に差し入れ、図４に示すように凹溝２２に支持プレート１３を係合させながら係止部材２を後壁部１２ｃ側にスライド移動させる。そして、係止部材２の上端部２１を軒樋３の後耳部３５に係合させながら下部を支持プレート１３の係止部１３ａに掛止め、接着剤を介して係止部材２の背面を軒樋３の後側壁３３の内面に圧着させる。
【００２８】
かくして、軒先の隅部に取り付けられた曲がり継手に軒樋３が接続されるが、本発明の曲がり継手は継手部品が継手部１Ｂと係止部材２の二つの部品からなり、まず最初に軒樋３の端部を継手部１Ｂに外嵌合して位置決めし、次いで軒樋３の内側に差し入れた係止部材２で継手部１Ｂを軒樋３に押し付けて固定するだけであるので、接続操作が簡単であり、作業経験年数が短い作業者であっても失敗することなく、簡単且つ確実に接続することができる。
【００２９】
なお、図示した曲がり継手の形態は一例であり、接続する軒樋の形状などに応じて適宜な形態とのものとすることができる。また、必要に応じて突き合わせ接続した軒樋の端部外周面に跨って外継手を外嵌合させて接着接合することもできる。
【図面の簡単な説明】
【００３０】
【図１】本発明の一実施形態の曲がり継手と軒樋の接続状態を示す概略平面図である。
【図２】曲がり継手と軒樋の展開斜視図である。
【図３】図２に示した曲がり継手に軒樋を接続する状態を示す側面図である。
【図４】図３に示した曲がり継手に軒樋を接続した状態を示す要部拡大側面図である。
【図５】樋吊り具に軒樋を支持した状態を示す側面図である。
【図６】従来の軒樋継手の展開状態を示す斜視図である。
【図７】従来の曲がり継手の展開状態を示す斜視図である。
【図８】従来の他の曲がり継手の接続状態を示す概略平面図である。
【符号の説明】
【００３１】
１  継手本体、１Ａ  本体部、１Ｂ  継手部、１２ａ  底壁部、１２ｂ  前壁部、１２ｃ  後壁部、１３  支持プレート、１３ａ  係止部、１４  前耳係止部、１５  後耳係止部、２  係止部材、２２  凹溝、３  軒樋、３１  底壁、３２  前側壁、３３  後側壁、３４  前耳部、３５  後耳部、４  樋吊り具、４１  基板部、４２  支持部  、４３  前耳支持部、４４  後耳支持部
【図１】
2009221773.tif 000003
【図２】
2009221773.tif 000004
【図３】
2009221773.tif 000005
【図４】
2009221773.tif 000006
【図５】
2009221773.tif 000007
【図６】
2009221773.tif 000008
【図７】
2009221773.tif 000009
【図８】
2009221773.tif 000010